(57)【特許請求の範囲】
【請求項１】
長尺の筒体の軸方向に離れた少なくと二箇所に、当該筒体を貫通する貫通孔を形成し、各貫通孔に、筒体の内部で互いに絡ませた状態で紐を挿通しているとともに、各紐の両端部に、弾性体からなるボールを取り付けていることを特徴とする健康器具。
【請求項２】
上記筒体に、笛を形成している請求項１記載の健康器具。
【発明の詳細な説明】
【０００１】
【発明の属する技術分野】
この発明は、健康器具に関する。
【０００２】
【従来の技術と発明が解決しようとする課題】
従来、家庭等で使用する健康器具として、ダンベル、エキスパンダ、ぶら下がり器、サイクリングマシン、ボート漕ぎ器等、種々のものが提供されている。
しかし、これら何れの器具も、激しい運動を伴うので、老人等の体力が低下している者には不向きであるとともに、脳梗塞患者等の機能回復には使用し難いという問題があった。また、運動機能の維持、回復、強化を主目的とするものであり、知的機能の維持、回復には適用し難いとともに、運動が単調になるため、短時間の使用で飽きてしまい易く、運動の持続性を確保し難いという問題もあった。
【０００３】
この発明は上記問題点に鑑みてなされたものであり、運動機能の維持、回復、強化と、知的機能の維持、回復の双方に使用することができるとともに、老人等の体力が低下している者にも好適に使用することができ、しかも、運動の持続性を確保することができる健康器具を提供することを目的とする。
【０００４】
【課題を解決するための手段】
上記目的を達成するためのこの発明の健康器具は、長尺の筒体の軸方向に離れた少なくと二箇所に、当該筒体を貫通する貫通孔を形成し、各貫通孔に、筒体の内部で互いに絡ませた状態で紐を挿通しているとともに、各紐の両端部に、弾性体からなるボールを取り付けていることを特徴とする。
但し、上記健康器具は、筒体に、笛を形成しておくのが好ましい。
【０００５】
上記の構成の健康器具によれば、一方の手で筒体を把持した状態で、他方の手で任意のボールを握って引っ張ると、他の何れかのボールを筒体側に引き寄せることができる。この際、絡まった紐の相互間、及び紐と貫通孔との間で、摩擦摺動抵抗が生じるので、ボールを引っ張るのに、ある程度の力を必要とする。このため、肩、腕、手、指等の運動になる。また、上記ボールを握って繰り返し弾性収縮させることにより、握力の維持、回復、強化を図ることができる。
【０００６】
さらに、所定のボールを引っ張った際に、筒体に引き寄せられるボールとその個数は、各紐と各貫通孔との間の摩擦摺動抵抗の差や、各ボールが取り付けられた紐の筒体からの繰り出し長さに応じて、それぞれ異なるので、各ボールを順次引っ張っていくと、各ボールが多種多様な動きをすることになる。このため、長時間に亘って興味を持続しながら、ボールを引っ張ることができる。しかも、通常は、筒体側に引き寄せられるボールを予測しながら、所望のボールを引っ張るので、その知的機能の維持、回復に役立つことになる。
【０００７】
また、上記筒体に笛を形成している場合には、当該笛を合図や連絡に使用することができる。このため、目や言葉の不自由な人に至便となる。
【０００８】
【発明の実施の形態】
以下この発明の実施の形態について、添付図面を参照しながら詳述する。
図１はこの発明の健康器具の一実施形態を示す正面図であり、図２はその要部拡大断面図である。この健康器具は、長尺の筒体１の外周部の二箇所に、当該筒体１を貫通する貫通孔２を形成し、各貫通孔２のそれぞれに紐３を挿通し、各紐３の両端部にボール４を取り付けたものである。
【０００９】
上記筒体１は、竹製のものであり、その一端側は、長尺の把持部５として構成されている。この筒体１は、二つの節１１を含んでおり、各節１１の相互間に、上記貫通孔２が、軸方向に所定間隔離した状態で形成されている。この貫通孔２の内径は、上記紐３の外径とほぼ同一に設定されており、紐３に対して摩擦摺動抵抗を付与できるようになっている。
【００１０】
上記２本の紐３は、同一長さのものであり、筒体１の内部において互いに絡ませた状態で、貫通孔２に挿通されている（図２及び図３参照）。この紐３は、ボール４を引っ張った際の張力に十分耐え得る強度を備えているとともに、貫通孔２との摩擦によって容易に擦り切れることのない耐摩耗性を備えている。
【００１１】
ボール４は、中実のスポンジや中空ゴム等の弾性体からなるものであり、強く握ることによって弾性収縮可能になっている。このボール４は、これを挿通させた紐３の先端部を結ぶことにより、当該紐３に取り付けられている。
なお、上記筒体１の図１における左端部は、縦笛６として構成されており、把持部５は、横笛７として構成されている。
【００１２】
以上の構成であれば、一方の手で筒体１を例えば水平に保持し、他方の手で任意のボール４を握って引っ張ると、他のボール４を筒体１側に引き寄せることができる。この際、絡まった紐３どうし、及び紐３と貫通孔２との間で、摩擦摺動抵抗が生じるので、ボール４を引っ張るのに、ある程度の力を必要とする。このため、肩、腕、手、指等の運動になる。また、上記ボール４を握って繰り返し弾性収縮させることにより、握力の維持、回復、強化を図ることができる。
【００１３】
さらに、各ボール４を順次引っ張っていくと、他のボール４が多種多様な動きをすることになる。このボール４の動きは、各ボール４に対応する紐３の筒体１からの繰り出し長さ、各紐３と各貫通孔２との摩擦摺動抵抗の差等によって異なることから、予測し難い不思議な動きとなる。このため、長時間に亘って興味を持続しながら、ボール４を引っ張ることができる。しかも、通常は、筒体１側に引き寄せられるボール４を予測しながら、所望のボール４を引っ張るので、その知的機能の維持、回復に役立つことになる。図４に所望のボール４を引っ張った際の、他のボール４の動きを例示する。同図において実線の矢印は、手で引っ張ったボール４の動きを示しており、点線の矢印は、他のボール４の動きを示している。
なお、上記健康器具は、起立させた状態でも使用することができるので、各ボール４が、さらに多種多様に動かすことができる。この起立させた状態でのボール４の動きを図５に例示する。
【００１４】
上記実施形態においては、筒体１の一端側に、長尺の把持部５を形成しているので、当該把持部５を片方の手で把持した状態で、つまり、筒体１を片持ち支持した状態で、ボール４を引っ張ることができる。この際、筒体１が当該ボール４とともに引っ張られて、上記片方の手に大きな回転モーメントが作用することから、把持部５をより強固に把持して、筒体１の回動を阻止しようとする動作が加わることになる。この結果、肩、腕、手、指等の運動をより効果的に行うことができる。
【００１５】
また、上記筒体１の端部に縦笛６を形成し、把持部５を横笛７として構成しているので、これら各笛６，７を合図や連絡に使用することができる。このため、目や言葉の不自由な人に至便となる。また、上記横笛７については、その演奏を楽しむこともできる。
【００１６】
上記健康器具は、図６に示すように、把持部５側の各ボール４の紐３を先端側のボール４の紐３に巻き付けて、各ボールを筒体１の先端部に集約しておけば、筒体１を把持してボール４で肩を叩くこともできる。即ち、肩叩き器具としても使用することもできる。
この発明の健康器具は、上記実施形態に限定されるものでなく、例えば、紐３とボール４とをさらに増設してもよく（図７参照）、この場合にはボール４がさらに多種多様に動くことになる。また、上記笛６，７を、何れか一方だけ形成すること、筒体１及び把持部５を合成樹脂製又は金属製のパイプで構成すること等、種々の設計変更を施すことができる。
【００１７】
【発明の効果】
以上のように、この発明の健康器具によれば、所望のボールを順次引っ張ることにより、肩、腕、手、指等の運動を行うことができるとともに、上記ボールを握って繰り返し弾性収縮させることにより、握力の維持、回復、強化を図ることができる。このため、老人等の体力の低下している者や機能回復患者等にも容易に使用することができる。  また、所定のボールを引っ張った際に、他のボールが多種多様な動きをするので、長時間に亘って興味を持続しながら、ボールを引っ張ることができる。このため、運動の持続性を確保することができる。
さらに、ボールの動きを予測する等、頭を使いながら所望のボールを引っ張ることになるので、知的機能の維持、回復にも役立つことになり、特に痴呆防止に効果がある。
【００１８】
また、上記筒体に、笛を形成している場合には、当該笛を合図や連絡に使用することができる。このため、目や言葉の不自由な人に至便となる。
【図面の簡単な説明】
【図１】この発明の健康器具の一実施形態を示す正面図である。
【図２】図１の実施形態の要部拡大断面図である。
【図３】紐の絡み具合を示す要部正面図である。
【図４】ボールの動きを示す概略図である。
【図５】ボールの動きを示す概略図である。
【図６】使用状態の一例を示す正面図である。
【図７】他の実施形態を示す要部正面図である。
【符号の説明】
１      筒体
２      貫通孔
３      紐
４      ボール
５      把持部
６      縦笛
７      横笛
【図１】
0003714703.tif 000002
【図２】
0003714703.tif 000003
【図３】
0003714703.tif 000004
【図６】
0003714703.tif 000005
【図４】
0003714703.tif 000006
【図５】
0003714703.tif 000007
【図７】
0003714703.tif 000008